(57)【要約】【課題】新聞（１０）内に挟みこまれた添付物（２０）が滑るのを妨げて、抜け落ちるのを防止する。【解決手段】外側部分となる折り畳んだ新聞（１０）の中に雑誌、パンフレット、定期刊行物のような印刷物である添付物（２０）が配置されており、接着（粘着）テープ（２４）や側方接着（粘着）テープ（２２４）によって、外側部分の２つの片（１８）が開放端縁（２２）においてそれらの間に介在する添付物（２０）に対して分離可能に結合されると共に、添付物（２０）が相互に分離可能に結合され、かつ２つの片（１８）が添付物（２０）を介して相互に分離可能に結合されて製品ユニットを構成している。【選択図】図１
2006298496.tif 000002
【特許請求の範囲】
【請求項１】
いくつかの部分からなる製品ユニットが、折り畳んだ外側部分（１０，１２８，１３６）と印刷物（２０，１３２，１３４）とを備えていて、
該折り畳んだ外側部分（１０，１２８，１３６）が、該折り畳んだ外側部分（１０，１２８，１３６）の片（１８，１３８，１３８’）が該外側部分（１０，１２８，１３６）の折り目（１４）で接続され、該折り目（１４）の反対側である開放端縁（２２）と該折り目（１４）に隣接する開放側（２９，１４２）とが形成されるように折り畳まれていて、
該印刷物（２０，１３２，１３４）が、該外側部分（１０，１２８，１３６）の該片（１８，１３８，１３８’）の間に配置され、該折り畳んだ外側部分（１０，１２８，１３６）の各片（１８，１３８，１３８’）が、該片（１８，１３８，１３８’）間に配置される該印刷物（２０，１３２，１３４）から離れて面している外側（２６，１３０）を有している、
ところの該いくつかの部分からなる製品ユニットを形成する装置において、
該外側部分（１０，１２８，１３６）とその中に配置される該印刷物とを移送方向（Ｕ，Ｆ）に個々に移送するための移送手段（９８）または加工手段（３０）によって特徴つけられており、
該加工手段（３０）が移送方向（Ｕ）に対して横方向に配置されたポケット状の収容部分（３２）となっていると共に、該移送手段（９８）が移送方向（Ｆ）に対して横方向に配置されたクランプ（１００）を有するクランプコンベアとなっており、
また、該折り畳んだ外側部分（１０，１２８，１３６）の該片（１８，１３８，１３８’）を、該折り畳んだ外側部分（１０，１２８，１３６）の該開放端縁（２２）および／または該開放側（２９，１４２）において相互に分離可能に結合する結合手段（２４，２２４）を取り付けるための装置（４６）とによっても特徴づけられており、
該結合手段（２４，２２４）を取り付けるための前記装置（４６）が、接着テープ部分（２４，２２４）を供給する接着テープ部分供給ユニット（４８）と、該接着テープ部分（２４，２２４）を該折り畳んだ外側部分（１０，１２８，１３６）の該開放端縁（２２）および／または開放側（２４，１４２）を渡って該折り畳んだ外側部分（１０，１２８，１３６）の外側（２６，１３０）に取り付ける手段となっており、さらに
該折り畳んだ外側部分（１０，１２８，１３６）の該片（１８，１３８，１３８’）に該接着テープ部分（２４，２２４）の端部領域（２４’，２２４’）を押圧するための押圧手段とによって特徴づけられているいくつかの部分からなる製品ユニットを形成する装置。
【請求項２】
該ポケット状の収容部分（３２）が、それぞれ内部に配置された該印刷物（２０，１３２，１３４）と該収容部分（３２）の底（３８）に接する該折り目（１４）とを有する該折り畳んだ外側部分（１０，１２８，１３６）を収容するように定められており、
該接着テープ部分（２４，２２４）を取り付ける該手段には、外表面（６６）が半径方向外側にある接着シートを有する該接着テープ部分（２４，２２４）を該接着テープ部分供給ユニット（４８）から引き取って、該折り畳んだ外側部分（１０，１２８，１３６）の該外側（２６，１３０）に添接させるように定められた回転駆動される伝達輪（５０）と、移送方向（Ｕ）に見て該伝達輪（５０）の下流に設けられ、該加工手段（３０）に沿って走行する把持コンベア（４４）とが設けられていて、
該把持コンベア（４４）は、把持舌片をもつ把持部材（４２）を有しており、この把持部材（４２）は、それぞれ折り畳んだ外側部分（１０，１２８，１３６）とその中に配置された該印刷物（２０，１３２，１３４）とを該接着テープ部分（２４）が付与される該開放端縁（２２）の領域内で捕捉し、保持してさらに移送し、この場合、該把持舌片によって該折り畳んだ外側部分（１０，１２８，１３６）の該片（１８，１３８，１３８’）の該外側（２６，１３０）に該接着テープ部分（２４）の端部領域（２４’）を押圧するように定められていることを特徴とする請求項１に記載の装置。
【請求項３】
該接着テープ部分（２４，２２４）を取り付ける該手段が、ピンチ状の伝達手段（８２）となっていて、開放状態において、該伝達手段（８２）とは反対の側に接着コーティングを施された該接着テープ部分（２４，２２４）を該接着テープ部分供給ユニット（４８）から引き取って一時的に保持するように定められており、
制御手段（９０，９２）が、該伝達手段（８２）を、内部に該印刷物（２０，１３２，１３４）を収容している該折り畳んだ外側部分（１０，１２８，１３６）に係合する位置へ移動させ、該開放端縁（２２）において、該伝達手段（８２）を閉鎖することによって、該折り畳んだ外側部分（１０，１２８，１３６）の該片（１８，１３８，１３８’）の該外側（２６，１３０）に該接着テープ部分（２４，１２４）を添接させて押圧することを特徴とする請求項１に記載の装置。
【請求項４】
該ポケット状の収容部分（３２）が、それぞれ１つの折り畳んだ外側部分（１０，１２８，１３６）を、それの内部に配置され、かつ該収容部分（３２）の底に接する該折り目（１４）を有する該印刷物（２０，１３２，１３４）と共に収容するように定められていることを特徴とする請求項３に記載の装置。
【請求項５】
該クランプ（１００）が、それぞれ１つの折り畳んだ外側部分（１０，１２８，１３６）を、それの内部に配置された該印刷物と共に、該折り目（１４）の周りを係合することによって保持するように定められていることを特徴とする請求項３に記載の装置。
【発明の詳細な説明】
【技術分野】
【０００１】
本発明は請求項１〜５に記載されたいくつかの部分からなる製品ユニットを形成する装置に関するものである。
【背景技術】
【０００２】
新聞には雑誌、パンフレット、定期刊行物などがしばしば添付されている。この添付物はそれぞれ折り畳んだ新聞の両片の間にルーズに配置されている。こうした新聞を取り扱う際には、添付物がずれたり、さらには新聞から抜け落ちたりする危険がある。この問題は特に添付物が非常に重い場合、あるいは添付物がたくさんある場合に生じる。添付物は多数回つや出しされた滑らかな表面を有する高品質の紙からなることが多い。それによって添付物が新聞の中で滑りやすくなる。さらにこの種の添付物を有する新聞を、特に発送室内で処理する場合に、添付物がその慣性によって新聞内でずれるという問題があり、これが折り目に向かう方向に起きると、新聞が膨らんでしまう。
【発明の開示】
【発明が解決しようとする課題】
【０００３】
従って本発明の課題は、外側部分に配置された印刷物（新聞、雑誌、これらの部分並びに添付物）のずれおよび抜け落ちが阻止され、あるいは妨害されるような印刷物ユニットを形成する方法と装置を提供することである。
【課題を解決するための手段】
【０００４】
この課題は、請求項１〜５に記載の特徴を有する装置によって解決される。
【０００５】
本発明によれば、その間に印刷物が配置されている折り畳んだ外側部分の片が間接的に、その間に配置された印刷物を介して、相互に結合されている。また、折り畳んだ外側部分の片と、その間に配置された印刷物との結合によって、印刷物の滑りまたは抜け落ちを妨げたり防止したりすることができる安定したユニットが形成される。この場合における外側部分の片の結合が、挿入された印刷物に対して行われることにより、印刷物は相互に、かつ片に対して安定化される。
【０００６】
本発明の方法においては、片とその間にある印刷物は滑り止め手段によって相互に結合される。印刷物および／または外側部分の片上に部分的に塗布された滑り止め手段は印刷物間、並びに印刷物と外側部分間の摩擦を増大させる。折り畳んだ外側部分の開放と印刷物の取り出しは、印刷物または外側部分の損傷を伴わないで行われる。結合を接着（粘着）手段によって形成することもできる。そのために好ましくは、外側部分の開放と印刷物の取り出しを損傷なしで可能にする接着（粘着）手段が使用される。
【０００７】
滑り止め手段ないしは接着手段の塗布は簡単な手段で行われる。
【０００８】
請求項１は製品ユニットを形成する装置を定義しており、この装置においてはその間に印刷物が配置されている外側部分の片の開放端縁および／または開放側が相互に結合されている。
【０００９】
請求項１に示す装置の特に好ましい実施態様が従属請求項２から５に記載されている。
【発明の効果】
【００１０】
以上の説明から明らかなように、本発明によれば、折り畳まれた新聞のような外側部分の各片がそれらの間に配置される印刷物に結合されると共に、外側部分の各片が印刷物を介して間接的に相互に結合されているので、それらの片の間に配置される印刷物が、折り畳まれた外側部分の片と結合して印刷物の滑りまたは抜け落ちが妨げられ、或いは防止されて、安定したユニットが形成される。
【発明を実施するための最良の形態】
【００１１】
以下、図面を用いて本発明を詳細に説明する。図は概略的なものである。
【００１２】
図１に示された印刷物ユニットは、横方向に延びる折り目１４に沿って折り畳まれた多数枚の印刷物すなわち新聞１０を示している。
【００１３】
以下の説明においてはいずれの場合にも、新聞１０の折り目１４の一方側の部分を「片１８」と呼ぶことにする。
【００１４】
片１８の間に雑誌、パンフレット、定期刊行物などの形の２つの添付物２０が配置されている。折り目１４とは反対側の開放端縁２２、いわゆる新聞１０の小口（ブルーム）は接着（粘着）テープ部分２４によって把持され、接着テープ部分の両端部領域２４’が両方の片１８の外側２６に貼り付いている。
【００１５】
図２には新聞１０が示されており、その一方の片１８は他方の片を越えて突出している。突出しているオーバーフォールドと呼ばれる部分は符号２８によって示されている。新聞１０の両方の片１８の間にはここでも多数枚の添付物２０が２つ配置されている。その端部領域２４’が片１８の外側に貼り付いている接着テープ部分２４によって開放端部２２がつながれている。
【００１６】
図１および２に示す製品ユニットにおいては、添付物２０はルーズに新聞１０内に挿入される。接着テープ部分２４が２つの片１８を相互に結合するので、添付物２０の新聞１０からの抜け落ちが防止される。接着テープ部分２４が破壊されない限り、新聞１０の開放または膨らみは防止される。好ましくは接着テープ部分２４の支持体は手で引き裂くことができる材料、例えば紙状の材料から形成される。接着テープ部分２４に、例えば剥すことによって接着テープ部分２４の新聞１０からの剥離を可能にする接着剤を施すことも可能である。
【００１７】
また、オーバーフォールド２８を折り返すことも考えられ、それによってオーバーフォールドが両方の片１８間の間隙と、それに伴って添付物２０の上を覆うことになる。
【００１８】
端縁２２に設ける接着テープ部分２４に加えて、端縁２２に対して直角に延びる側端縁２９にも接着テープ部分を取り付けることができ、それによって添付物２０の側方への抜け落ちも防止される。この種の側方の接着テープ部分は、図１および２では破線で示されており、符号２２４が付されている。この接着テープ部分２２４の端部領域２２４’が片１８の外側２６に貼り付く。
【００１９】
図３は、折り畳んだ新聞１０内に添付物２０を差し込むのに適したドラム形状の加工装置の一部を断面として示している。この種の加工装置は、例えばスイス特願第５８４１５３号および欧州特願第０３４１４２３号またはそれに対応する米国特許公報第３，９５１，３９９号並びに第４，９８１，２９１号に開示されている。加工装置の構造と機能についてはこれらの公報が参照される。
【００２０】
加工装置３０はポケット状の収容部分３２を有し、この収容部分は共通の回転軸３４を中心に配置されて回転軸の方向に延びていると共に、半径方向外側が開放している。収容部分３２は壁３６によって、そして半径方向内側は底３８によって区画されている。この加工装置３０において前述の公報に記載された方法により新聞１０と挿入される添付物２０からなる最終製品が形成される。
【００２１】
図３には加工装置３０の最後の部分のみが図示されており、その部分から移送装置４４の把持部材４２によって新聞１０がその中に配置された添付物２０と共に取り出されて、移送方向Ｗに移送される。加工装置３０のこの部分には、回転方向Ｕに見て移送装置４４の前段に、接着テープ部分２４を取り付ける装置４６が配置されている。この装置は接着テープ部分供給ユニット４８と伝達輪５０を有し、伝達輪は接着テープ部分供給ユニット４８から供給された接着テープ部分２４を、収容部分３２内に配置され、かつその中へ移送された新聞１０へ送ると共に、接着テープ部分２４を新聞１０に取り付けるように定められている。
【００２２】
接着テープ供給ユニット４８は軸受シャフト５２を有し、その軸受シャフトに接着テープストックロール５４が軸承されており、接着テープロールから１対の移送ローラ５６によって歩進的に接着テープ５４’が引き出されて、その接着テープから回転駆動可能な切断ドラム６０のカッター５８によって接着テープ部分２４が切断される。
【００２３】
特に図４から明らかなように、ほぼ円形の伝達輪５０には周面に分配された凹部６２が設けられており、この凹部の周方向に測定した中心距離は加工装置３０の壁３６の距離にほぼ相当する。伝達輪５０は回転軸３４に対して平行な回転軸６４を中心に、周方向Ｕとは反対の矢印方向Ｖに回転駆動される。伝達輪５０の周速度は壁３６の周速度にほぼ相当し、かつ伝達輪５０は、それぞれ新聞１０の開放端縁２２が凹部６２内に来るように、加工装置３０と同期化されており、これは特に図３に示されている。
【００２４】
伝達輪５０の外表面６６のそれぞれ各凹部６２の根の部分並びに凹部６２間の円筒状の部分の、それぞれ矢印方向Ｖに見て各凹部６２の先行の端部に隣接して吸引開口部６８ないし６８’が形成されている。吸引開口部６８，６８’は半径方向の吸引通路７０を介して弁装置７２と接続されており、それによって吸引開口部６８，６８’は図示しない負圧源と一時的に接続される。弁装置７２には半径方向外側が開放した制御溝７６を備えた制御ディスク７４が設けられており、制御溝は周方向に所定の領域にわたって延びている。この制御溝７６は制御導管７８を介して負圧源と接続されると共に、伝達輪５０が制御ディスク７４を中心として回転する際に吸引通路７０の内側端部が制御溝７６の領域に来ると、それぞれ吸引通路７０によって吸引開口部６８，６８’と接続される。
【００２５】
特に図４から明らかなように、接着テープ５４’の一部が移送ローラの対５６を越えて突出しており、その伝達輪５０側の接着剤のついていない平坦な側が伝達輪の外表面６６に接している。吸引開口部６８が接着テープ５４’のこの部分の領域に来ると、この吸引開口部５８が弁装置７２によって負圧源と接続され、同時に移送ローラの対５６が送り方向Ｚに駆動される。それによって接着テープ５４’の先行の端部領域が外表面６６に接して保持されて、後続の部分が凹部６２内へ挿入される。そのために移送ローラの対５６の送り速度が伝達輪５０の周速度よりも一時的に大きくなる。そして接着テープ５４’を凹部６２内に保持するために、吸引開口部６８’も負圧源と接続される。同様に駆動される切断ドラム６０によって接着テープ５４’が切断され、それによって接着テープ部分２４が分離される。その場合に２つの凹部６２間の外表面６６の部分がカッター５８と共働する載置面として用いられる。従って回転する際に伝達輪５０のそれぞれの凹部６２が接着テープ部分２４を支持し、その接着テープ部分の端部は凹部６２を越えて延びている。
【００２６】
加工装置３０と伝達輪５０の回転の途中で、それぞれ新聞１０の開放端縁２２が凹部６２内に挿入される。その場合に回転軸６４と新聞１０との距離は、接着テープ部分２４の伝達輪５０に関して半径方向外側の接着剤シートが新聞の開放端縁２２の領域に接して、軽く押圧されるように調節される。吸引開口部６８および６８’に通気することによって接着テープ部分２４が解放され、直ちに新聞１０に貼り付く。加工装置３０がさらに回転する途中で、移送装置４４の把持部材４２がそれぞれ上方から新聞１０をその内部に配置された添付物２０と共に上方から把持し、かつ把持部材の口が閉鎖する際に、開放端縁２２を越えて突出している接着テープ部分２４の端部領域２４’を片１８に押圧して、製品ユニットを固定して移送する。
【００２７】
図５は伝達輪５０についての他の可能な実施例を、図３と同様に図示するものである。伝達輪は回転軸６４を中心に矢印Ｖ方向に回転駆動される支持ディスク８０を有し、この支持ディスクには周方向に分配して伝達ピンチ８２が配置されている。伝達ピンチ８２のピンチ顎８４の端部には吸引ヘッド８６が設けられており、この吸引ヘッドも図４に関連して説明したのと同様に吸引通路７０を介して弁装置７２と接続されている。ピンチ顎８４は、ばね部材８８によって開放位置へ付勢されていると共に、ピンチレバー９４に設けられた滑りシュー９２と共働するリンク９０により、支持ディスク８０の回転位置に従って閉鎖位置へ移動することができる。
【００２８】
開放された伝達ピンチ８２の回転方向Ｖに見て先行の吸引ヘッド８６が接着テープ部分供給ユニット４８を通過すると、移送ローラの対５６が作動されて、吸引ヘッド８６が負圧源と接続される。この伝達ピンチ８２の後続の吸引ヘッド８６も接着テープ部分供給ユニット４８を通過すると、吸引ヘッドが接着テープ５４’を吸引して、本実施例においては切断工具としても形成されている移送ローラの対５６が伝達ピンチ８２に保持されている接着テープ部分２４を接着テープ５４’から切断する。さらに回転する途中で伝達ピンチ８２は徐々に閉鎖されるが、これが矢印Ｓによって示されている。それによって接着テープ部分２４はＵ字状に湾曲され、ピンチ顎８４の移動路が開放端縁２２の移動路を横切ると、新聞１０の開放端縁を把持する。次に伝達ピンチ８２は完全に閉鎖され、それによって接着テープ部分２４を片１８の外側２６に押圧する。その後、該当する伝達ピンチ８２の２つの吸引ヘッド８６が通気されて、ピンチ顎８４は再び開放位置へ移動する（矢印Ｓ’）。
【００２９】
ここでも新聞１０はその中に配置されている添付物２０と共に、既に説明した図３に示すように、加工装置３０の収容部分３２内に配置されている。ここでも形成された製品ユニットは移送装置４４によって捕捉されて、さらに加工するために移送される。伝達ピンチ８２と移送装置４４の把持部材４２が新聞１０に接することができるように、加工装置３０の壁３６には凹部９６が形成されている（図３も参照）。
【００３０】
図６に示す装置においては新聞１０はその中に配置された添付物２０と共に把持コンベヤ９８によって垂直の懸架位置で移送される。その場合に把持コンベヤ９８のクランプ１００が新聞１０を把持してそれを保持する。新聞１０の上方にある折り目１４は移送方向Ｆに対して直角に延びており、下方に位置する開放端縁２２は下方から自由に接近することができる。
【００３１】
把持コンベヤ９８の下方には、それぞれの接着テープ部分２４を新聞１０に取り付ける装置４６が設けられており、接着テープ部分が開放端縁をつなぐ。この装置４６は図５に示すものと全く同様な設計となっており、また、回転方向Ｖに駆動される支持ディスク８０に配置されたピンチ顎８４を備えている。ピンチ顎が接着テープ部分供給ユニット４８からそれぞれ接着テープ部分２４を引き取って、それを開放端縁２２をつなぐように新聞１０に当接させる。
【００３２】
図７には図１および２と同様に、内部に配置された２つの添付物２０を有する折り畳んだ新聞１０が図示されている。添付物２０と場合によっては新聞１０の片１８の所定領域に滑り止め手段１０２、例えば透明なシリコンシートが設けられている。その場合にそれぞれ少なくとも１つのこの種の領域が添付物２０が相互に接触する接触面と、添付物２０が新聞１０の片１８と接触する各接触面に設けられている。それによって添付物２０は片１８に関して、かつ相互に移動することを防止される。
【００３３】
図８には滑り止め手段１０２を添付物２０の外側に取り付ける装置が図示されている。添付物２０は把持コンベヤ１０４によって個々に、水平の移送方向Ｆに関して斜め下方へ傾いた位置で移送され、その場合に把持部材１０５は添付物２０の移送方向Ｆにおいて先行する折り目２０’を保持する。把持コンベヤ１０４の下方にはスプレイ装置１０６が配置されており、このスプレイ装置はそばを通過する各添付物２０の折り目２０’から離れた所定の領域１０８に滑り止め手段１０２を塗布する。
【００３４】
図９に示す実施例においては、添付物２０は同様に把持コンベヤ１０４によって移送方向Ｆに関して斜め下方に傾いた懸架位置で移送される。把持コンベヤ１０４の下方には配転駆動される支持ベルト１１０が配置されており、その上方の支持を行うベルトが把持コンベヤ１０４に対して平行に延びていると共に、把持コンベヤ１０４と同一の速度で駆動されている。支持ベルト１１０には把持手段から離れて保持カム１１２が設けられており、この保持カムは支持ベルト１１０と共に添付物２０の開放端縁２２の領域を捕捉するように定められている。支持ベルト１１０の下方の軸受シャフト５２’にはストックスプール１１４が配置されており、このストックスプールから自己接着する滑り止めテープが２つの転向ローラ１１８を回って案内されて巻取りスプール１２０へ延びている。図１０から明らかなように、滑り止めテープ１１６においてパーフォレーション１２２がラベル状のテープ部分１２４を区画している。２つの転向ローラ１１８間には、例えばシリンダピストンユニットによって駆動されるタペット１２６が配置されており、このタペットは滑り止めテープ１１６からパーフォレーションを切断してそれぞれ自己接着するテープ部分１２４を分離し、添付物２０の下方に位置する平坦側に取り付ける。その場合に、保持カム１１２が押え手段として用いられる。完全を期するために、滑り止めテープ１１６は把持コンベヤ１０４のクロックによって駆動されているので、各添付物２０についてそれぞれ１つのテープ部分１２４が供給されることに注意すべきである。
【００３５】
もちろん、図８または９と同様な装置を用いることによって添付物２０の他方の側にも滑り止め手段１０２を設けることができる。
【００３６】
滑り止め手段１０２を有する添付物２０は、例えば図３に示すように、加工装置３０へ供給される。そこで添付物２０は新聞１０内へ差し込まれる。このようにして形成された製品ユニットはその後に移送装置４４によって移送される。
【００３７】
また、新聞１０の２つの片１８の多数の箇所を相互に結合することも考えられる。
【００３８】
図示の実施例においては、添付物２０は折り畳んだ新聞１０の中央に配置されている。しかし、添付物２０を新聞１０の色々な部分の間に配置することもまた可能である。その場合には「片」という概念は、新聞１０の添付物２０の両側に配置された部分と考えることができる。
【００３９】
また、新聞１０の代わりに他の種類の印刷物、例えば雑誌を使用することも可能である。
【００４０】
図１１には製品ユニットが図示されており、この製品ユニットにおいては図１に示す製品ユニットの場合と同様に、折り目１４に沿って折り畳んだ新聞または雑誌１０の片１８間に３つの添付物２０が配置されている。図１に示す実施例とは異なり、新聞１０の回りに開放端縁２２が同様に開放したカバー１２８が当てられている。カバー１２８は開放端縁２２の領域で接着テープ部分２４によって纏められており、接着テープ部分の端部領域２４’がカバー１２８の外側１３０に付着している。この接着テープ部分２４の他に製品ユニットの側端縁２９の領域には、図１１に破線で示され、かつ図１および２を用いて既に説明したように他の接着テープ部分２２４が取り付けられている。
【００４１】
図１２に示す製品ユニットにおいては、端縁２１４に沿って折り畳んだ、相互に隣り合う２つの印刷物１３２，１３４がジャケット１３６によって包囲されている。その場合にジャケット１３６の一方の側部分１３８は印刷物１３２，１３４の開放端縁２２２を、ジャケット１３６の他方の側部分１３８’に固定された閉鎖フラップ１４０によって覆っている。製品ユニットの開放側１４２には図１および２に示す実施例の場合と同様に接着テープ部分２２４が設けられており、この接着テープ部分の端部領域２２４’がジャケット１３６の側部分１３８，１３８’の外側に付着している。接着テープ部分２２４は印刷物１３２，１３４が側方に滑り落ちるのを防止する。
【００４２】
印刷物１３２，１３４は新聞、雑誌またはそれらの一部、例えば添付物とすることができる。
【００４３】
カバー１２８とジャケット１３６は、まず、印刷物１０，２０，１３２，１３４のパックまたは束をまとめて保護するために用いられると共に、例えば紙またはプラスチックから形成される。
【００４４】
また、図１１および１２に示す製品ユニットにおいて、接着テープ部分２４，２２４の代わりに、またはそれに加えて、図７ないし１０を参照して説明したように、印刷物１０，２０，１３２，１３４の外側に滑り止めを施設けることも考えられる。
【００４５】
さらに、図１１に示す製品ユニットにおいて、個々の印刷物１０，２０を図１２に図示したものと同様に相互に並べて配置することも可能であることを指摘しておきたい。同様に図１２に示す製品ユニットにおいて、図１１に示すのと同様に印刷物１３２，１３４を相互に入り組ませることも可能である。
【図面の簡単な説明】
【００４６】
【図１】折り畳まれた新聞内に配置された添付物と新聞の両片を相互に結合する接着テープ部分とを有する製品ユニットの斜視図である。
【図２】図１に示す製品ユニットの側面図であって、新聞にはオーバーフォールドの部分が設けられている。
【図３】折り畳んだ印刷物、特に新聞内に添付物を差し込むドラム状の装置の一部と、印刷物の両片の開放端縁を覆う接着テープ部分を取り付ける装置を示す断面図である。
【図４】図３に示す接着テープ部分を取り付ける装置を拡大して示す斜視図である。
【図５】接着テープ部分を取り付ける装置の他の実施例の図３と同様の断面図である。
【図６】内部に添付物を有し、把持コンベヤを用いて懸架位置において移送される印刷物に接着テープ部分を取り付ける装置を示す側面図である。
【図７】図２と同様に折り畳んだ新聞内に配置された添付物を有する製品ユニットの側面図であって、印刷物の片と添付物は滑り止め手段によって相互に結合されている。
【図８】滑り止め手段を添付物上に吹き付ける装置を示す側面図である。
【図９】滑り止め手段として作用するテープ部分を添付物上に取り付ける装置を示す側面図である。
【図１０】テープ部分を有するストックテープの一部を示す斜視図である。
【図１１】保護ジャケットを有する製品ユニットを示す図２と同様の側面図である。
【図１２】保護ジャケットを有する製品ユニットを示す斜視図である。
【符号の説明】
【００４７】
１０    新聞（印刷物ユニット）
１４    折り目
１８    片
２０    添付物（雑誌、パンフレット、定期刊行物等）
２２    開放端縁
２４    接着（粘着）テープ部分
２４’    端部領域
２６    片の外側
２８    オーバーフォールドの部分
２９    側端縁
３０    加工装置
３２    収容部分
４４    移送装置
４６    接着テープ部分を取り付ける装置
４８    接着テープ部分供給ユニット
５０    伝達輪
７０    吸引通路
７２    弁装置
８２    伝達ピンチ
８４    ピンチ顎
９８    把持コンベヤ
１００    クランプ
１０２    滑り止め手段
１０４    把持コンベヤ
１０６    スプレイ装置
１１６    滑り止めテープ
１２４    テープ部分
１２８    カバー
１３０    カバーの外側
１３２，１３４    印刷物
１３６    ジャケット
１３８，１３８’    ジャケットの側部分
１４０    閉鎖フラップ
１４２    製品ユニットの開放側
２２２    印刷物の開放端縁
２２４    側方接着テープ部分
２２４’    側方接着テープ部分の端部領域
【図１】
2006298496.tif 000003
【図２】
2006298496.tif 000004
【図３】
2006298496.tif 000005
【図４】
2006298496.tif 000006
【図５】
2006298496.tif 000007
【図６】
2006298496.tif 000008
【図７】
2006298496.tif 000009
【図８】
2006298496.tif 000010
【図９】
2006298496.tif 000011
【図１０】
2006298496.tif 000012
【図１１】
2006298496.tif 000013
【図１２】
2006298496.tif 000014